(57)【要約】【課題】分散型照明制御システムにおいて、各調光盤の設置場所の設定及び管理を容易にする。【解決手段】  分散型照明制御システムは、それぞれ異なるアドレスが割り振られた複数の調光盤２０と、調光盤２０に調光信号を出力する中央制御装置１０とが、信号線Ｌ１、Ｌ２、及び、スプリッタ３０とともに通信ネットワークを構成している。各調光盤２０は、照明空間である舞台の天井や壁面に配設された複数のバトン４０が有する設置部４１に照明器具５０とともに取り付けられている。調光盤２０が設置されると、中央制御装置１０は、調光盤２０が設置可能なバトン４０及び設置部４１の一覧（バトンリストファイルＦ１）を調光盤２０に送信する。使用者が、調光盤２０に設けられた表示部２３の表示を確認しながら、操作入力部２２を操作して、調光盤２０が設置されたバトン４０及び設置部４１を選択する。【選択図】図１
2011070960.tif 000002
【特許請求の範囲】
【請求項１】
固有のアドレスが割り振られ、調光信号に基づいて照明器具の調光レベルを制御する１乃至複数の調光盤と、
前記調光盤と通信網を介して接続され、調光盤に前記調光信号を出力する中央制御装置とを備え、
前記中央制御装置は、
アドレスにより指定された調光盤に対して、当該調光盤を設置可能な複数の設置場所を示す設置場所リストを送信する設置場所送信手段を有し、
前記調光盤は、
中央制御装置から送信された前記設置場所リストに含まれる設置場所の情報に基づいて、自己の設置場所を択一的に選択する選択手段と、
前記選択手段により選択された設置場所の情報と自己のアドレスとを前記中央制御装置に送信する送信手段とを有し、
前記中央制御装置は、
前記調光盤から設置場所の情報を受信して、前記操作入力部に設置場所の情報と当該調光盤のアドレスとを関連付けて記憶する設置場所記憶部を備え、
前記設置場所記憶部に記憶された情報に基づいて、前記操作入力部の操作入力に応じて、操作入力部に対応するアドレスの調光盤に調光信号を出力することを特徴とする分散型照明制御システム。
【請求項２】
前記設置場所送信部は、前記設定場所リストのうち、既に選択された前記設置場所を除く設定場所を示す情報を、選択可能な設置場所リストとして調光盤に送信することを特徴とする請求項１に記載の分散型照明制御システム。
【発明の詳細な説明】
【技術分野】
【０００１】
本発明は、複数の照明装置を遠隔制御するための分散型照明制御システムに関するものである。
【背景技術】
【０００２】
従来から、例えば舞台などで照明演出を行うために、複数の照明装置を舞台などの照明空間に設置し、各照明装置を遠隔から制御する照明制御システムがあった（例えば、特許文献１を参照）。
【０００３】
また、この種の用命制御システムは、図８に示すように、天井などから吊るされる設置器具であるバトン６０、６０のそれぞれに、一乃至複数の照明器具５０が設置される。各照明器具５０は、バトン６０に設けられた接続回路６１および電力線Ｌ３を介して、調光盤２０に設けられた接続回路２７にそれぞれ接続されている。また調光盤２０は、調光卓１０から信号線Ｌ１を介して入力される例えばＤＭＸ５１２信号からなる調光信号に基づいて、各調光回路２７の動作を制御し、各電力線Ｌ３への出力レベルを調整している。これにより、使用者が調光卓１０の表面に設置された操作パネル（図示せず）のフェーダなどを操作することで、各バトン６０に設置された照明器具５０の調光レベルをそれぞれ制御することができる。
【０００４】
一方、図９に示すように、バトン４０に調光盤２０を着脱自在に設置するための設置部４１を複数設け、調光卓１０からの調光信号を分岐して各調光盤２０に出力するスプリッタ３０を調光卓１０と調光盤２０との間に設けた照明制御システムもある。各調光盤２０には、それぞれ異なるアドレスが割り当てられており、使用者が調光卓１０の操作パネルを操作すると、調光レベルを制御したい調光盤２０のアドレスに調光卓１０が調光信号を出力する。この調光信号は、信号線Ｌ１、Ｌ２及びスプリッタ３０を介して各調光盤２０に入力され、各調光盤２０は、この調光信号に含まれるアドレスに基づいて、自器宛の調光信号であるかを判断するとともに、自器宛の調光信号であれば照明器具５０の調光レベルを制御する。このような照明制御システムは、図８に示すような固定型の照明制御システムと異なり調光盤２０の着脱が可能であるので、使用者が使用したい場所に調光盤２０及び照明器具５０を配置して、最適な照明制御を行うことが可能であった。
【先行技術文献】
【特許文献】
【０００５】
【特許文献１】特開２００８−１１７５６６号公報
【発明の概要】
【発明が解決しようとする課題】
【０００６】
ところで、使用者が調光卓に設けたフェーダなどの操作部を操作して照明を制御するためには、調光盤のアドレスもしくはバトンの位置と、各操作部の番号とを対応付けるパッチ操作と呼ばれる操作が必要であった。
【０００７】
しかしながら、上述のような照明制御においては、調光信号としてＤＭＸ信号のような片方向の通信信号が用いられており、調光卓から調光盤に対して制御信号を出力することはできるものの、調光盤からの情報を得ることはできなかった。
【０００８】
そのため、設置された調光盤がどこに設置されたのかを使用者が判断するには、調光盤に設定されたアドレスと、調光盤を設置したバトンの位置とを使用者が把握し、それぞれを互いに対応づけて記録し、使用者が管理する必要があるため、調光盤及び照明器具を設置する作業は、非常に手間と時間のかかる作業であった。
【０００９】
本発明は、上記事由に鑑みて為されたものであり、その目的とするところは、各調光盤の設置場所の設定及び管理を容易にした分散型照明制御システムを提供することにある。
【課題を解決するための手段】
【００１０】
上記目的を達成するために、請求項１の発明では、固有のアドレスが割り振られ、調光信号に基づいて照明器具の調光レベルを制御する１乃至複数の調光盤と、前記調光盤と通信網を介して接続され、操作入力部の操作入力に応じて前記調光信号を出力する中央制御装置とを備え、前記中央制御装置は、前記調光盤を配設可能な１乃至複数の設置場所を示す情報が設定された設置場所リスト及び設置場所リストを前記調光盤に送信する設置場所送信部を備え、前記調光盤は、中央制御装置から送信された前記設置場所リストに含まれる設置場所の情報に基づいて、設置場所の一覧を表示するとともに設置場所を択一的に選択して設定する設置場所設定部を有し、前記調光設定部は、前記設置場所設定部により選択して設定された設置場所に基づいて、前記操作入力部の操作入力に対する前記調光盤のアドレス及び設置場所を関連付けて記憶する設置場所記憶部を有し、前記調光設定部は、前記設置場所記憶部に記憶された情報に基づいて、前記操作入力に応じて当該調光信号を出力することを特徴とする。
【００１１】
請求項２の発明では、請求項１記載の発明において、前記設置場所送信部は、前記設定場所リストのうち、他の調光盤により選択された前記設置場所を除く設定場所を示す情報を、選択可能な設置場所リストとして調光盤に送信することを特徴とする。
【発明の効果】
【００１２】
請求項１の発明によれば、各調光盤に中央制御装置から設置場所リストが送信され、設置場所リストに基づいて各調光盤で設置場所を択一的に選択すると、操作入力に対して設置場所の情報と調光盤のアドレスとを対応づけて中央制御装置に登録されるから、調光盤を設置する際に同じ場所で設置場所を確認しながら調光盤側で設置場所を指定することができ、後から中央制御装置側で設定作業を行う必要が無くなるので、各調光盤の設置場所を容易に把握・管理することが出来る。
【００１３】
請求項２の発明によれば、各調光盤の設置場所を選択時に、他の調光盤で既に選択された設置場所の情報を除いた設置場所リストが送信されるので、調光盤での選択操作時に重複して設置場所を指定することが無くなり、より容易に設置場所を設定するとともに設定ミスを低減することができる。
【図面の簡単な説明】
【００１４】
【図１】本発明の実施の形態にかかる分散型照明制御システムの構成を示す概略ブロック図である。
【図２】（ａ）は、同分散型照明制御システムにおける中央制御装置の構成を示す概略ブロック図であり、（ｂ）は同分散型照明制御システムにおける調光盤の構成を示す概略ブロック図である。
【図３】同調光盤の要部を示す概略正面図である。
【図４】同分散型照明制御システムにおいて、調光盤を追加した際の処理を示すシーケンス図である。
【図５】同分散型照明制御システムにおける中央制御装置に表示される表示内容を示す概略図である。
【図６】調光盤の他例を示す概略図正面である。
【図７】中央制御装置の他例を説明するための概略図である。
【図８】従来の固定型照明制御システムを示す概略ブロック図である。
【図９】従来の分散型照明制御システムを示す概略ブロック図である。
【発明を実施するための形態】
【００１５】
以下に、本発明の実施の形態を図１〜図７を用いて説明を行う。本実施の形態の分散型照明制御システムは、例えば舞台などで照明演出の為に使用する複数の照明装置を遠隔制御するための照明制御システムである。この分散型照明制御システムは、上述した図９に示す従来の照明制御システムと同様に、照明空間である舞台の天井から吊下げられた複数のバトン４０に、後述する調光盤２０及び照明器具が取り付けられている。図５は、後述する中央制御装置１０の表示部１３に表示される表示画像を説明する為の概略図であり、各バトン４０の配置を平面的に示している。また図５に示すように、各バトン４０には、その設置場所に応じてＮ１〜Ｎ１８、Ｂ１〜Ｂ６、ＵＨ１〜ＵＨ６という名称が付与されている。
【００１６】
各バトン４０は、調光盤２０を取り付けるための設置部４１が複数個設けられており、バトン４０の大きさに応じてそれぞれ設置部４１の個数が異なる。なお、本実施の形態においては、各バトン４０は設置部４１が３つずつ設けられているものとし、各バトン４０において設置部４１を識別するために、Ａ、Ｂ、Ｃという名称が付与されているものとする。
【００１７】
また、この分散型照明制御システムは、図１に示すとおり、中央制御装置１０と複数の調光盤２０（２０ａ〜２０ｄ）とが、信号線Ｌ１、Ｌ２、及び、スプリッタ３０を介して互いに接続されて、通信信号の授受を行う通信ネットワークを構成している。この通信ネットワークは、例えばイーサネット（登録商標）によるＴＣＰ／ＩＰ網であり、信号線Ｌ１、Ｌ２にはイーサネット（登録商標）ケーブルが用いられ、スプリッタ３０はスイッチング・ハブが用いられる。なお、信号線Ｌ１、Ｌ２、スプリッタ３０、及び通信ネットワークに関する技術については、既知の技術であるので説明を省略する。
【００１８】
中央制御装置１０は、図２（ａ）に示すように、中央制御装置１０全体を統括的に制御する制御部１１、使用者が操作することで中央制御装置１０の動作を変更するスイッチ・フェーダなどからなる操作入力部１２、各調光盤２０から受信した情報を表示するとともに入力操作を補助するための情報を表示する液晶パネルからなる表示部１３、信号線Ｌ１を介して各調光盤２０との間で通信信号の授受を行う通信部１４、及び、各調光盤２０から送信された情報又は入力装置の入力操作に応じて変更された設定を記憶する記憶部１５からなる。
【００１９】
記憶部１５には、制御部１１によって、各バトン４０の設置部４１の一覧がバトンリストファイルＦ１として記憶されている。バトンリストファイルＦ１は、各行に設置部４１を一意に識別するための文字列が格納されており、例えば、使用者の操作に基づいて各バトン４０及び設置部４１に付与された名称を結合した文字列が格納される。本実施の形態においては、バトン４０及び設置部４１にそれぞれ付与された名称をハイフンで結合した、Ｎ１−Ａ、Ｎ１−Ｂ、Ｎ１−Ｃ、Ｎ２−Ａ、…、ＵＨ６−Ｃという文字列が格納されている。
【００２０】
また記憶部１５には、各調光盤２０がどの設置部４０に設置されたのかを示す設置場所ファイルＦ２が記憶されており、制御部１１は、使用者によって操作入力部１２からの操作入力があると、その操作入力に関連付けられた調光盤２０を、設置場所ファイルＦ２に基づいて特定し、その調光盤２０に調光信号を送信する。
【００２１】
各調光盤２０は、図２（ｂ）に示すとおり、例えばマイコンなどからなる制御部２１と、使用者の操作入力に応じて操作信号を制御部２１に出力する操作入力部２２と、例えば液晶パネルからなり制御部２１からの映像信号に基づいて映像を表示する表示部２３と、信号線Ｌ２に接続され中央制御装置１０との間で通信信号の授受を行う通信部２４と、自己に割り当てられたアドレスや、バトンファイルリストＦ１が記憶される記憶部２５と、照明器具５０が接続され制御部２１からの調光信号に基づいて照明器具５０の調光レベルを制御する調光出力部２６とを備える。
【００２２】
各調光盤２０には、識別用のアドレスが割り振られており、例えば調光盤２０ａには［００１］が、調光盤２０ｂには［００２］が割り振られ、調光盤２０ｃ、２０ｄについても同様に他の調光盤２０との間で重複しない番号が割り振られている。なお、通信ネットワークとしてイーサネット（登録商標）によるＴＣＰ／ＩＰ網を用いた本実施の形態においては、予め各通信部２４に設定されたＭＡＣアドレスや、ＩＰアドレスを識別用のアドレスとして用いることも可能である。
【００２３】
制御部２１は、調光盤２０全体の動作を統括的に制御しており、操作入力部２２から操作入力があると、表示部２３の表示内容を変化させるとともに、記憶部２５に必要なデータを記憶させ、通信部２４を介して中央制御装置１０と通信信号の授受を行う。また、通信部２４を介して中央制御装置１０から入力された情報に基づいて、記憶部２５のデータを変化させ、調光出力部２６を制御して、照明器具５０の調光レベルを制御する。
【００２４】
操作入力部２２及び表示部２３は、図３に示すように、調光盤２０の前面に表面を露出して設置されており、操作入力部２２は、例えば、上方向を示す形状に形成されたスイッチ２２ａ、下方向を示す形状に形成された２２ｂ、及び、他のスイッチとは異なる形状（例えば円形）に形成された２２ｃによって構成されてる。表示部２３には、バトンファイルリストＦ１に含まれるバトン４０の設置部４１の名称が１つ表示され、スイッチ２２ａ又はスイッチ２２ｂを使用者が押操作することで、バトンファイルリストＦ１に含まれるバトン４０の設置部４１の名称を順次切り替えて表示される。その後、所望のバトン４０及び設置部４１の名称が表示された状態で、スイッチ２２ｃを押操作することで、バトンファイルリストＦ１に含まれる複数のバトン４０の設置部４１を示す一覧の中から、択一的に設置部４１を選択して設定することができる。
【００２５】
通信部２４と中央制御装置１０との間の通信には、上述した識別用のアドレスが用いられ、中央制御装置１０から送信された通信信号に送信先のアドレスを含めて全ての調光盤２０に対して送信し、各調光盤２０の通信部２４が通信信号に含まれるアドレスと、自身に設定されたアドレスとを比較し、一致すればその通信信号は自器宛であると判断して制御部２３に信号を出力する。また、通信部２４が中央制御装置１０に向けて通信信号を送信する場合には、自身に設定されたアドレスを含めて送信することで、中央制御装置１０は何れの調光盤２０から送信された通信信号であるかを判断することができる。
【００２６】
ここで通信部２４と中央制御装置１０との間で授受される通信信号としては、調光盤２０がネットワークに接続された際に、通信部２４から中央制御装置１０に向けて送信され、新たに調光盤２０がネットワークに参加したことを意味する参加データＤ１を含む通信信号、中央制御装置１０から通信部２４に送信され、中央制御装置１０が保持するバトンファイルリストＦ１含む通信信号、調光盤２０にて択一的に選択されたバトン４０及び設置部４１の識別情報からなる設定データＤ２を含む通信信号、及び、中央制御装置１０が操作されることで各調光盤２０に接続された照明器具５０の調光レベルを調整する調光信号を含む通信信号などがある。
【００２７】
記憶部２５は、例えばＥＥＰＲＯＭ（Ｅｌｅｃｔｉｃａｌ  Ｅｒａｓａｂｌｅ  Ｐｒｏｇｒａｍａｎｌｅ  ＲＯＭ）などの不揮発性のメモリからなり、制御部２１によって、通信部２４を介して入力されたバトンファイルリストＦ１が記録されている。また、例えば選択されたバトン４０を識別するための情報などの制御部２１にて必要な情報が適宜記録されており、制御部２１が必要応じて読み書きを行う。
【００２８】
調光出力部２６は、制御部２１からの調光信号に基づいて照明器具５０の調光レベルを制御する。なお、調光出力部２６が制御する内容としては、照明器具５０の調光レベルの調整に限らず、照明器具５０の光源の照射方向などを制御することも可能である。
【００２９】
ここで、各調光盤２０をバトン４０に設置する際の手順について、図４を用いて説明を行う。まず、調光盤２０をバトン４０の何れかの設置部４１にねじなどにより固定する。次に、信号線Ｌ２を調光盤２０の通信部２４に接続し電源供給を受けて動作を開始すると（ステップＳ１）、制御部２１は通信部２４を制御して、中央管理装置１０に対して参加データＤ１を送信する（ステップＳ２）。中央管理装置１０は、参加データＤ１を受信すると、設置場所ファイルＦ２に当該調光盤２が保持し、通信信号に含まれるアドレスを追加するとともに（ステップＳ３）、中央管理装置１０が保持しているバトンリストファイルＦ１を、参加データＤ１を送信した調光盤２０に対して送信する（ステップＳ４）。調光盤２０は、バトンリストファイルＦ１を受信すると、記憶部２５にバトンリストファイルＦ１を記録させ（ステップＳ５）、表示部２３にバトンリストファイルＦ１の先頭に格納された文字列を表示する（ステップＳ６）。
【００３０】
次に使用者が、表示部２３に表示される文字列を確認しながら、スイッチ２２ａ、２２ｂを操作して、表示部２３に表示される文字列を切り替え、この調光器２０が設置されたバトン４０の設置部４１を示す文字列が表示部２３に表示された状態で、スイッチ２２ｃを押操作することで設定を終了する（ステップＳ７）。スイッチ２２ｃが押操作され、設定が終了すると、制御部２１は、選択されたバトン４０の設置部４１を示す識別情報（ここでは、文字列）と調光盤２０のアドレスとを設定データＤ２として、中央制御装置１０に送信する（ステップＳ８）。その後、中央制御装置１０が受信した設定データＤ２に基づいて、設置場所ファイルＦ２を更新し（ステップＳ９）、中央制御装置１０は、新たに追加された調光盤２０が、どのバトン４０の設置部４１に設置されたのかを把握することが出来る。
【００３１】
このようにして、各調光盤２０の設置が完了すると、中央制御装置１０に設けられた液晶パネルには、設置場所ファイルＦ２に基づいて、図５に示すような表示が行われ、全ての調光盤２０がどこに設置されたのかを視覚的に確認することができる。
【００３２】
以上述べたように、各調光盤２０を設置する際に、中央制御装置１０から送信されたバトンリストファイルＦ１から設置部４１を容易に選択することで、中央制御装置１０がどの場所にどの調光盤２０が設置されたのかを容易に把握することができ、設置場所の管理が容易になる。
【００３３】
なお、本実施の形態においては、スイッチ２２ａ及び２２ｂを用いて、表示部２３に表示されたバトン４０及び設置部４１の名称をバトンリストファイルＦ１から選択しているが、図６に示すようなロータリスイッチからなる名称選択ダイアル２２ｄ、もしくは、スライダースイッチからなる名称選択フェーダ２２ｅを操作して、バトン４０及び設置部４１の名称を選択するようにしても良い。このようにすることで、バトン４０及び設置部４１の数が多くなった場合でも、すばやく所望するバトン４０及び設置部４１を選択することができ、調光盤２０の設置にかかる手間及び時間を低減することが出来る。
【００３４】
また、中央制御装置１０は、新たに接続された調光盤２０に向けてバトンリストファイルＦ１を送信する際に、既に他の調光盤２０により選択され、設置場所ファイルＦ２に記憶されたバトン４０の設置部４１を、バトンファイルＦ１から除いて送信するようにしても良い。具体的には、最初に設置された調光盤２０に対しては、中央制御装置１０は、全てのバトン４０及び設置部４１を示す文字列を保持するバトンリストファイルＦ１を送信する。この調光盤２０において、例えばＮ１−Ａが選択されたとすると、中央制御装置１０は、次に設置された調光盤２０に対して、Ｎ１−Ａを取り除いたバトンリストファイルＦ１’を送信する。これを調光盤２０が接続される毎に、各調光盤２０で選択された設置部４１を取り除いて、バトンリストファイルＦ１’’、バトンリストファイルＦ１’’’とし、中央制御装置１０が調光盤２０に送信する。このようにすることで、使用者が調光盤２０の各スイッチを用いてバトン４０及び設置部４１を選択する際に、所望の設置部４１以外の選択肢を減らすことができ、調光盤２０の設置にかかる手間及び時間を低減するとともに、設置部４１を重複して選択するなどの設定ミスを低減することが出来る。
【符号の説明】
【００３５】
１０        中央制御装置
１１          制御部
１２          操作入力部
１３          表示部
１４          通信部
１５          記憶部（設置場所記憶部）
２０        調光盤
２１          制御部（設置場所送信手段）
２２          操作入力部（選択手段）
２３          表示部
２４          通信部（設置場所送信手段）
２５          記憶部
２６          調光制御部
３０        スプリッタ
４０        バトン
４１          設置部
５０        照明器具
Ｌ１、Ｌ２  信号線
Ｌ３        電力線
【図１】
2011070960.tif 000003
【図２】
2011070960.tif 000004
【図３】
2011070960.tif 000005
【図４】
2011070960.tif 000006
【図５】
2011070960.tif 000007
【図６】
2011070960.tif 000008
【図７】
2011070960.tif 000009
【図８】
2011070960.tif 000010
【図９】
2011070960.tif 000011